(57)【要約】【課題】複数の端子板間の容量を大きくしつつ、フェライトコアのノイズ低減の効果を高めることができる端子台を提供することを目的とする。【解決手段】電源配線または信号配線である複数の外部配線を接続する端子台であって、この複数の外部配線をそれぞれ接続するとともに互いに向き合うように配置した電源端子板２およびグランド端子板３と、この複数の外部配線に重畳したノイズを減衰させるリング状のフェライトコア１０とを備え、電源端子板２およびグランド端子板３の互いに向き合う面に垂直な面で切断した場合の切断面がそれぞれ長方形であり、電源端子板２およびグランド端子板３をフェライトコア１０に挿入するとともに、この電源端子板２およびグランド端子板３をその切断面における長方形の長辺側が互いに向き合うように配置する。【選択図】図３
2012079443.tif 000002
【特許請求の範囲】
【請求項１】
グランド配線と、電源または信号配線とで構成した複数の外部配線を接続する端子台であって、
この複数の外部配線をそれぞれ接続するとともに互いに向き合うように配置した複数の端子板と、
前記複数の外部配線に重畳したノイズを減衰させるリング状のフェライトコアとを備え、前記複数の端子板を互いに向き合う面に垂直な面で切断した切断面がそれぞれ長方形であり、
前記複数の端子板を前記フェライトコアに挿入するとともに、この複数の端子板をその切断面における長方形の長辺側が互いに向き合うように配置することを特徴とする端子台。
【請求項２】
前記複数の端子板は、前記複数の端子板を互いに向き合う面に垂直に切断した場合の切断面がそれぞれ同一形状の長方形であることを特徴とする請求項１に記載の端子台。
【請求項３】
前記複数の端子板の切断が、この長方形の長辺の長さがこの長方形の短辺の長さの４倍より長い長方形であることを特徴とする請求項２に記載の端子台。
【請求項４】
前記複数の端子板をその切断面における長方形の長辺側が互いに向き合うように配置する際、長辺側が略完全に対向するように配置することを特徴とする請求項２に記載の端子台。
【請求項５】
前記複数の端子板をその切断面における長方形の長辺側が互いに向き合うように配置する際、長辺側同士の向き合う長さが、この長方形の短辺の長さよりも長くなるように配置することを特徴とする請求項２に記載の端子台。
【発明の詳細な説明】
【技術分野】
【０００１】
複数の外部配線を接続する複数の端子板を備え、この複数の端子板をノイズ減衰用のフェライトコアに挿入した端子台に関するものである。
【背景技術】
【０００２】
従来の端子台としては、複数のターミナルピンとリング状のフェライトコアとを備え、この複数のターミナルピンから侵入する外部ノイズをフェライトコアにて遮断するものがある。また、従来の端子台は、複数のターミナルピンがフェライトコアの中空部に挿入されており、ターミナルピンはその断面の形状が正方形となっている（例えば、特許文献１参照）。
【先行技術文献】
【特許文献】
【０００３】
【特許文献１】特開２００６−３１７３２０号公報
【発明の概要】
【発明が解決しようとする課題】
【０００４】
しかしながら、従来の端子台では、フェライトコアの中空部に挿入されている複数のターミナルピン（以下、「端子板」）の断面形状は正方形であるものを採用しているため、以下のような問題があった。
【０００５】
複数の端子板が、電源配線または信号配線である場合、複数の端子板の間を容量結合してノイズを低減することが好ましい。この複数の端子板の容量を大きくするには複数の端子板が向き合う面の面積を向上させるか、もしくは、この複数の端子板同士の距離を小さくする必要がある。
【０００６】
複数の端子板が電源配線である場合、端子板間の電位差が数百ボルトになるものもあり、
適切な端子板同士の距離（沿面距離）を確保しないと絶縁耐圧を満たさなくなってしまう。このため、端子板同士の距離を小さくすることで端子板の容量を大きくすることが困難となる。
【０００７】
そこで、複数の端子板の容量を大きくするには、端子板が向き合う面の面積を向上させる必要がある。従来の端子台のごとく断面形状は正方形であると、向き合う面の面積を向上させるには正方形の１辺の長さを大きくする必要がありこれに伴い端子台も大きくなるという問題がある。
【０００８】
また、フェライトコアのノイズ低減の効果は、複数の端子板がフェライトコアと向き合う面積を大きくするほど高くなる。しかし、上述同様、従来の端子台のごとく断面形状は正方形であると、向き合う面の面積を向上させるには正方形の１辺の長さを大きくする必要がありこれに伴い端子台も大きくなるという問題がある。
【０００９】
本発明は、従来の問題を解決するためになされたものであり、複数の端子板間の容量を大きくしつつ、フェライトコアのノイズ低減の効果を高めることができる端子台を提供することを目的とする。
【課題を解決するための手段】
【００１０】
本発明は、グランド配線と、電源または信号配線とで構成した複数の外部配線を接続する端子台であって、この複数の外部配線をそれぞれ接続するとともに互いに向き合うように配置した複数の端子板と、前記複数の外部配線に重畳したノイズを減衰させるリング状のフェライトコアとを備え、前記複数の端子板を互いに向き合う面に垂直な面で切断した切断面がそれぞれ長方形であり、前記複数の端子板を前記フェライトコアに挿入するとともに、この複数の端子板をその切断面における長方形の長辺側が互いに向き合うように配置するものである。
【発明の効果】
【００１１】
本発明は、複数の端子板の切断面が長方形であり、複数の端子板を切断面の長辺側が互いに向き合うように配置する。
【００１２】
これにより、複数の端子板の向き合う１辺の長さを長くできるのでその結果、向き合う面の面積を向上させることができる。この結果、端子板が向き合う面の面積を広くでき複数の端子板の容量を大きくすることができる。
【００１３】
また、複数の端子板が長辺側で互いに向き合っているため、フェライトコアへ向く辺の長さの合計は長方形の全周囲の長さから長辺の長さ1辺分を減算した「長辺の長さ＋２＊短辺の長さ」となる。同じ面積の正方形と比べると長方形とすることでこのフェライトコアへ向く辺の長さの合計を長くすることができる。
【００１４】
以上により本発明は複数の端子板間の容量を大きくしつつ、フェライトコアのノイズ低減の効果を高めることができるという効果を奏する。
【００１５】
なお、長方形とすることで、この長方形と同じ断面積の正方形とした場合と比較して上記の有利な効果が得られる。すなわち、同じ断面積であると同じ抵抗率となるので、本発明は抵抗率を変えることなく上記の効果を得ることができる。
【図面の簡単な説明】
【００１６】
【図１】本発明の実施の形態１における端子台の斜視図
【図２】同内部構造を説明する斜視図
【図３】同内部構造を説明するＸ軸−Ｙ軸平面での断面図
【図４】本発明の実施の形態１における端子板の断面形状を説明する図
【図５】本発明の実施の形態２における端子台のＸ軸−Ｙ軸平面での断面図
【発明を実施するための形態】
【００１７】
（実施の形態１）
以下、本発明の一実施の形態における端子台について図１を参照しながら説明する。図１は本発明の実施の形態１における端子台の斜視図である。
【００１８】
最初に本発明の実施の形態１における端子台について説明する際に用いる位置関係を説明する。図１のＸ軸は、正方向を端子台１の後述する電源端子ねじ９およびグランド端子ねじ８を挿入する方向を負方向とする軸である。このＸ軸を前後方向と呼ぶ。また、図１のＹ軸は、Ｘ軸と垂直であって、かつ、正面（電源端子ねじ９およびグランド端子ねじ８を組み付けた際にそのネジ山が視認可能な面）から見て右へ向かう方向を正方向とする軸である。このＸ軸を左右方向と呼ぶ。また、図１のＺ軸は、Ｘ軸と垂直であって、かつ、正方向を端子台１の正面から見て上へ向かう方向を正方向とする軸である。このＺ軸を上下方向と呼ぶ。
【００１９】
図１の線Ｈは「上下方向の中心線」を示す。この「上下方向の中心線」は、Ｚ軸に平行
な直線であって、端子台１の横幅におけるＹ軸方向の略中心を通る線をいう。また、図１の線Ｗは「左右方向の中心線」を示す。この「左右方向の中心線」は、Ｘ軸に平行な直線であって、端子台１の縦幅におけるＺ軸方向の略中心を通る線をいう。
【００２０】
端子台１には電源配線である複数の外部配線が接続される。この複数の外部配線は図１(ａ)の電源配線７およびグランド配線６である。電源配線７には、例えば、電源の正側が接続され、グランド配線６には電源の負側（もしくはグランド）が接続される。この電源配線７およびグランド配線６に接続される電源は直流の電源に限らず、交流の電源であってもよい。
【００２１】
電源配線７およびグランド配線６は、図１(ｂ)に示すように、電源端子ねじ９およびグランド端子ねじ８により、それぞれ電源端子板２およびグランド端子板３（「複数の端子板」に相当）に固定される。電源端子板２およびグランド端子板３の、Ｚ軸方向の電源配線７およびグランド配線６に対する逆端は、基板４にはんだ等で固着され、この基板４に形成された配線パタンに接続される。また、電源端子板２およびグランド端子板３はフェライトコア１０に挿入されている。
【００２２】
電源端子板２、グランド端子板３、および、フェライトコア１０はケース５に収納される。ケース５内は樹脂等でシールされる。この樹脂等とは、例えば、ＰＰＳ（ポリフェニレンサルファイド）やＰＢＴ（ポリブチレンテレフタレート）である。このように樹脂等でシールすることにより、電源端子板２およびグランド端子板３が接触してしまうのを防止できるとともに、絶縁耐圧を確保でき、かつ、電源端子板２、グランド端子板３、および、フェライトコア１０の位置ずれを防止することができる。
【００２３】
次に、実施の形態１における端子台の主要部品である、電源端子板２とグランド端子板３、および、フェライトコア１０について図２を用いて詳説する。図２は、本発明の一実施の形態における端子台の内部構造を説明する斜視図である。
【００２４】
図２(ａ)に示すように、電源端子板２およびグランド端子板３は一端に電源端子ねじ９およびグランド端子ねじ８を挿入するための孔が形成された端部２ａおよび端部３ａをそれぞれ有する。
【００２５】
また、電源端子板２およびグランド端子板３は、Ｚ軸正方向側にそれぞれ板部２ｂおよび板部３ｂを有する。この板部２ｂと板部３ｂとは、互いに面積が最も大きい面にて互いに向き合うように配置されている。
【００２６】
この板部２ｂおよび板部３ｂは、互いに向き合う面に垂直な面で切断した場合の切断面（Ｘ軸−Ｙ軸平面での断面）がそれぞれ長方形である。板部２ｂと板部３ｂとは切断面における長方形の長辺側が互いに向き合うように配置されている。この板部２ｂおよび板部３ｂはフェライトコア１０に取り囲まれるように配置する。
【００２７】
また、電源端子板２およびグランド端子板３は、端部２ａおよび端部３ａの逆端に爪部２ｃおよび爪部３ｃを有する。爪部２ｃおよび爪部３ｃが基板４に形成された孔に挿入されてはんだ等で固着される。
【００２８】
フェライトコア１０は電源配線７またはグランド配線６に重畳したノイズを減衰させるためのものである。フェライトコア１０は金属酸化物の強磁性体で形成されており、金属に比べ固有抵抗が大きいので過電流の影響を受けず、高周波での使用に適しているためノイズフィルタなどに使われる。
【００２９】
図２(ｂ)に示すように、本実施の形態におけるフェライトコア１０はリング状に形成されている。ここでリング形状とは切断面が中空であるもの全般をいい、円形筒状だけでなく方形筒状をも含む概念である。
【００３０】
この筒状のフェライトコア１０の中空部分に電源端子板２およびグランド端子板３が配置される。より詳細には電源端子板２の板部２ｂおよび、グランド端子板３の板部３ｂがフェライトコア１０に取り囲まれた形となる。電源端子板２およびグランド端子板３の中でもっとも広い面積を有する板部２ｂおよび板部３ｂの周囲をフェライトコア１０で囲むことでノイズを減衰の効果を高めることができる。次に、図２(ｂ)に破線Ｈで示す位置での切断面（板部２ｂおよび板部３ｂに互いに向き合う面に垂直な面で切断した切断面）を用いて各部の位置関係を詳細に説明する。
【００３１】
電源端子板２とグランド端子板３、および、フェライトコア１０の配置について図３を用いて説明する。図３は実施の形態１における端子台のＸ軸−Ｙ軸平面での断面図であり、図４は端子板の断面形状を説明する図である。
【００３２】
図３に示すように、電源端子板２およびグランド端子板３の断面形状はともに、長辺が長さＷ、短辺の長さがＬの同一形状の長方形である。電源端子板２およびグランド端子板３を長さＷの辺が略完全に対向するように向い合わせて配置する。
【００３３】
図３に示すように電源端子板２とグランド端子板３との離間距離をＳとおく。この離間距離Ｓは子端子板同士の沿面距離を確保する必要があるため所定の値より小さくすることはできない。
【００３４】
長さＤＬ１はＸ軸方向における電源端子板２とフェライトコア１０との距離であり、長さＤＬ２はＸ軸方向におけるグランド端子板３とフェライトコア１０との距離である。また、長さＤＷ１はＹ軸負方向における電源端子板２またはグランド端子板３とフェライトコア１０との距離であり、長さＤＷ２はＹ軸正方向における電源端子板２またはグランド端子板３とフェライトコア１０との距離である。
【００３５】
長さＤＬ１、ＤＬ２、ＤＷ１、ＤＷ２のいずれもできるだけ短いほう望ましい。なぜなら、フェライトコア１０と端子板とが近いほどフェライトコア１０のノイズ低減効果が向上するからである。
【００３６】
ここで、長辺の長さＷと短辺の長さＬとの長さの関係を図４を参照しながら考察する。例えば、方形の各辺をＡ辺とＢ辺とおくとする。
【００３７】
まず、図４のｃａｓｅ１に示すようにＡ辺が長さ４、Ｂ辺の長さが４の正方形を考える。電源端子板２とグランド端子板３とは切断面の長辺側が互いに向き合っているため、フェライトコア１０へ向く辺の長さの合計は「Ａ辺の長さ＋２＊Ｂ辺の長さ」となる。ｃａｓｅ１（正方形）においては、フェライトコア１０へ向く辺の長さの合計は１２となる。
【００３８】
ここで、断面積（Ａ辺の長さ＊Ｂ辺の長さ）を維持しつつ、Ａ辺の長さを大きくしていく場合（ｃａｓｅ２からｃａｓｅ１３）を考える。Ａ辺の長さを大きくしていくとｃａｓｅ２〜４まではフェライトコア１０へ向く辺の長さの合計は短くなるが、ｃａｓｅ５からｃａｓｅ１３にかけてはフェライトコア１０へ向く辺の長さの合計が長くなっている。つまり、ｃａｓｅ５を境界とし、フェライトコア１０へ向く辺の長さの合計が同じ面積の正方形と比べると長くなっていることが分かる。ｃａｓｅ５は長方形の長辺の長さがこの長方形の短辺の長さの４倍より長い長方形である場合である。上記関係は一般化することができ、この条件に合致する長方形は、同じ面積の正方形と比べると長方形とすることで必
ず長くなる。
【００３９】
フェライトコア１０へ向く辺の長さの合計が大きくなるにつれ、フェライトコア１０のノイズ低減の効果は増大する。
【００４０】
上記のように、長方形の長辺の長さＷがこの長方形の短辺の長さＬの４倍より長い長方形とすると、フェライトコア１０へ向く辺の長さの合計を同じ面積の正方形の場合より長くすることができノイズ低減の効果を高めることができる。
【００４１】
以上のように本発明の実施の形態１における端子台は、電源端子板２およびグランド端子板３の切断面が長方形であり、電源端子板２およびグランド端子板３を切断面の長辺側が互いに向き合うように配置するようにした。
【００４２】
このようにすることにより、向き合う１辺の長さを長くできるのでその結果、向き合う面の面積を広くすることができるので電源端子板２およびグランド端子板３の間の容量を大きくすることができる。また、電源端子板２およびグランド端子板３が長辺側で互いに向き合うっているため、フェライトコア１０へ向く辺の長さの合計を長くすることができる。
【００４３】
以上により本発明は電源端子板２およびグランド端子板３の間の容量を大きくしつつ、フェライトコア１０のノイズ低減の効果を高めることができるという効果を奏する。
【００４４】
なお、長方形とすることで、この長方形と同じ断面積の正方形とした場合と比較して上記の有利な効果が得られる。すなわち、同じ断面積であると同じ抵抗率となるので、本発明は抵抗率を変えることなく上記の効果を得ることができる。
【００４５】
なお、電源端子板２およびグランド端子板３の断面形状はともに、長辺が長さＷ、短辺の長さがＬの同一形状の長方形としたのは、抵抗率を同じにすることができるからである。
【００４６】
なお、電源端子板２およびグランド端子板３を、長さＷの辺が略完全に対向するように向い合わせて配置するようにしたのは、電源端子板２とグランド端子板３との端子板間の容量を最大にできるからである。
【００４７】
（実施の形態２）
以下、本発明の実施の形態２における端子台ついて図５を参照しながら説明する。図５は本発明の実施の形態２における端子台のＸ軸−Ｙ軸平面での断面図である。なお、実施の形態１の構成と同様の構成を有するものについては、同一符号を付しその説明を省略し、相違点について詳述する。
【００４８】
実施の形態１と実施の形態２との相違点は、実施の形態１では図３を用いて説明したように、電源端子板２およびグランド端子板３をその切断面における長方形の長辺側が互いに向き合うように配置する際、長辺側が略完全に対向するように配置したが、実施の形態２では、電源端子板２およびグランド端子板３をその切断面における長方形の長辺側が互いに向き合うように配置する際、長辺側同士の向き合う長さが長方形の短辺の長さよりも長くなるように配置している点である。
【００４９】
図５を用いて説明すると、長辺側同士の向き合う長さは図５のＭである。この長さは、長方形の短辺の長さＬよりも長くなっている。
【００５０】
このようにすることにより、電源端子板２およびグランド端子板３をその切断面を長方形にした際に、それらの短辺同士を向き合わせて配置するよりも電源端子板２とグランド端子板３との向き合う面積を広くすることができ、端子板の容量を大きくすることができる。
【００５１】
なお、以上述べた各実施の形態では電源配線とグランド配線とを接続する端子台について述べたが、信号配線とグランド配線とを接続する端子台としても適用できる。電源配線だけでなく信号ラインにおいてもグランド配線との間で互いに容量で結合されることはノイズ低減のために有用であるからである。
【００５２】
なお、なお、以上述べた各実施の形態では電源配線とグランド配線との２本の配線を接続する端子台について述べたが、グランド配線を含んでいれば２本より多い本数（３本以上）の配線を接続する端子台であってもよい。グランド配線を含んでいれば、本発明の、「複数の端子板間の容量を大きくでき容量結合してノイズを低減する」という効果が有用なものとなるからである。
【産業上の利用可能性】
【００５３】
本発明の端子台は、複数の外部配線を接続する複数の端子板を備え、この複数の端子板をノイズ減衰用のフェライトコアに挿入した端子台等として有用である。
【符号の説明】
【００５４】
１    端子台
２    電源端子板
３    グランド端子板
４    基板
５    ケース
６    グランド配線
７    電源配線
８    グランド端子ねじ
９    電源端子ねじ
１０  フェライトコア
【図１】
2012079443.tif 000003
【図２】
2012079443.tif 000004
【図３】
2012079443.tif 000005
【図４】
2012079443.tif 000006
【図５】
2012079443.tif 000007